(57)【要約】各施工現場（Ｆ）に設置される地形情報送信装置（１０）は、施工現場（Ｆ）の地形を写す複数の画像データを受信する画像データ受信部と、複数の前記画像データに基づいて施工現場（Ｆ）の三次元データを作成する三次元データ作成部と、作成された三次元データの総データ量を軽減する軽量化処理を行う軽量化処理部と、軽量化処理が施された三次元データである軽量化三次元データを情報提供装置（２）に送信する地形情報送信部と、を備えている。
2019012988.tif 000002
【特許請求の範囲】
【請求項１】
施工現場に設置され、当該施工現場の地形を示す三次元データをサーバ装置に送信する地形情報送信装置であって、
前記施工現場の地形を写す複数の画像データを受信する画像データ受信部と、
複数の前記画像データに基づいて前記施工現場の三次元データを作成する三次元データ作成部と、
作成された前記三次元データの総データ量を軽減する軽量化処理を行う軽量化処理部と、
前記軽量化処理が施された三次元データである軽量化三次元データを前記サーバ装置に送信する地形情報送信部と、
を備える地形情報送信装置。
【請求項２】
前記軽量化処理は、三次元データに含まれる点群の間引き処理である
請求項１に記載の地形情報送信装置。
【請求項３】
前記地形情報送信部は、
前記軽量化三次元データに加え、当該軽量化三次元データの基となった前記画像データの取得日時を示す日時情報を送信する
請求項１又は請求項２に記載の地形情報送信装置。
【請求項４】
前記画像データ受信部は、前記複数の画像データを、各画像データを取得した際の位置・方位情報とともに受信し、
前記三次元データ作成部は、前記施工現場全体のうち各画像データに含まれる部分の地形の三次元データである複数の部分地形三次元データを作成した上で、作成された前記複数の部分地形三次元データを前記位置・方位情報に基づいて繋ぎ合わせて統合することにより全体地形三次元データを作成する
請求項１から請求項３の何れか一項に記載の地形情報送信装置。
【請求項５】
請求項１から請求項４の何れか一項に記載の地形情報送信装置と、
前記サーバ装置と、
を備え、
前記サーバ装置は、
前記地形情報送信装置から受信した前記軽量化三次元データに基づいて前記施工現場における施工の進捗を示す進捗情報を作成する進捗情報作成部と、
前記進捗情報を、広域通信網を通じて利用者の出力装置に送信する進捗情報送信部と、
を備える施工管理システム。
【請求項６】
施工現場に設置された地形情報送信装置を用いて、当該施工現場の地形を示す三次元データをサーバ装置に送信する地形情報送信方法であって、
前記施工現場の地形を写す複数の画像データを受信する情報受信ステップと、
複数の前記画像データに基づいて前記施工現場の三次元データを作成する三次元データ作成ステップと、
作成された前記三次元データの総データ量を軽減する軽量化処理を行う軽量化処理ステップと、
前記軽量化処理が施された三次元データである軽量化三次元データを前記サーバ装置に送信する地形情報送信ステップと、
を有する地形情報送信方法。
【請求項７】
前記情報受信ステップにおいて、前記複数の画像データを、各画像データを取得した際の位置・方位情報とともに受信し、
前記三次元データ作成ステップにおいて、前記施工現場全体のうち各画像データに含まれる部分の地形の三次元データである複数の部分地形三次元データを作成した上で、作成された前記複数の部分地形三次元データを前記位置・方位情報に基づいて繋ぎ合わせて統合することにより全体地形三次元データを作成する
請求項６に記載の地形情報送信方法。
【発明の詳細な説明】
【技術分野】
【０００１】
本発明は、地形情報送信装置、施工管理システム及び地形情報送信方法に関する。
本願は、２０１７年７月１４日に日本に出願された特願２０１７−１３８４１７号について優先権を主張し、その内容をここに援用する。
【背景技術】
【０００２】
特許文献１に開示されているように、建設機械に備えられたステレオカメラを用いて施工現場の画像データを取得し、当該画像データを用いて三次元データを作成する技術が知られている。施工現場の地形の三次元データを作成することで、施工現場の進捗管理が可能となる。
また、ステレオカメラを搭載した小型航空機（ドローン）を航行させて、施工現場全体の地形を撮影し、当該施工現場全体の地形を示す三次元データを作成する手法が知られている。
【先行技術文献】
【特許文献】
【０００３】
【特許文献１】特開２０１３−０３６２４３号公報
【発明の概要】
【発明が解決しようとする課題】
【０００４】
小型航空機は、施工現場の上空を航行しながら地形をくまなく撮影するとともに、当該撮影によって取得した複数の画像データを、広域通信網を介してサーバ装置（情報提供装置）に送信する。サーバ装置は、受信した複数の画像データの各々に含まれる地形の三次元データ（部分地形三次元データ）を作成し、これらを統合して施工現場全体の地形を示す三次元データ（全体地形三次元データ）を作成する。サーバ装置は、全体地形三次元データを、例えば、広域通信網（インターネット）経由で閲覧可能な状態に加工する。これにより、施工に係る作業者、管理者は、出力装置を用いて、広域通信網経由で、施工現場全体の三次元形状を確認することができる。【０００５】
しかしながら、撮影によって得られる画像データは、一つ一つのデータ量が大きい上に、施工現場一つあたりに必要な総画像データ数が膨大となる。そのため、小型航空機が送信する膨大な数の画像データの全てを、広域通信網を経由して送信するには、多大な時間を要する。加えて、サーバ装置は、複数の施工現場ごとに画像データを受信し、それぞれについて、並列して三次元データの作成処理を行うために、サーバ装置自身の処理も高負荷となる。
以上のような事情により、一つの施工現場において、小型航空機による撮影を開始してから当該施工現場全体の三次元データ（全体地形三次元データ）を完成させるまでには、多大な時間を要していた。そのため、全体地形三次元データは、比較的短い時間間隔（例えば、１日単位）で更新することができず、それ故、施工進捗を詳細に把握することが困難であった。【０００６】
本発明は、上記課題を解決するためになされたものであって、施工現場全体の三次元データの更新頻度を向上することができる地形情報送信装置、施工管理システム及び地形情報送信方法を提供することを目的とする。
【課題を解決するための手段】
【０００７】
本発明の第１の態様によれば、地形情報送信装置は、施工現場に設置され、当該施工現場の地形を示す三次元データをサーバ装置に送信する地形情報送信装置であって、前記施工現場の地形を写す複数の画像データを受信する画像データ受信部と、複数の前記画像データに基づいて前記施工現場の三次元データを作成する三次元データ作成部と、作成された前記三次元データの総データ量を軽減する軽量化処理を行う軽量化処理部と、前記軽量化処理が施された三次元データである軽量化三次元データを前記サーバ装置に送信する地形情報送信部と、を備える。
【発明の効果】
【０００８】
上記態様のうち少なくとも１つの態様によれば、施工現場全体の三次元データの更新頻度を向上することができる。
【図面の簡単な説明】
【０００９】
【図１】第１の実施形態に係る施工管理システムの全体構成を示す概略図である。
【図２】第１の実施形態に係る地形情報送信装置等の機能構成を示す図である。
【図３】第１の実施形態に係る情報提供装置の機能構成を示す図である。
【図４】第１の実施形態に係る地形情報送信装置の処理フローを示す図である。
【図５】第１の実施形態に係る情報提供装置の処理フローを示す図である。
【図６】第１の実施形態に係る情報提供装置の機能を説明するための図である。
【発明を実施するための形態】
【００１０】
＜第１の実施形態＞
（施工管理システムの全体構成）
図１は、第１の実施形態に係る施工管理システムの全体構成を示す概略図である。
【００１１】
図１に示すように、施工管理システム１は、地形情報送信装置１０と、小型航空機１１（ドローン）と、建設機械１２と、情報提供装置２と、出力装置３と、を備えている。
【００１２】
地形情報送信装置１０は、施工現場Ｆごとに設置される現場事務所内に設置されるコンピュータである。地形情報送信装置１０は、複数の施工現場Ｆのそれぞれに一つずつ設置され、当該施工現場Ｆの地形を示す三次元データを、広域通信網Ｇを通じて、サーバ装置である情報提供装置２に送信する。なお、広域通信網Ｇは、いわゆるインターネット通信網、ＬＴＥ／３Ｇ等のモバイル通信網などである。
また、地形情報送信装置１０は、現場内通信網Ｌを通じて、後述する小型航空機１１、建設機械１２と通信可能に接続されている。なお、現場内通信網Ｌとは、一つの施工現場Ｆ内に存在する装置（地形情報送信装置１０、小型航空機１１及び建設機械１２）どうしで互いに情報をやり取りすることができる無線通信網である。本実施形態においては、施工現場Ｆに設置された地形情報送信装置１０と、当該施工現場Ｆ内の移動体（小型航空機１１、建設機械１２）とは、「無線ＬＡＮ」によるＰ２Ｐ（ピアツーピア）通信を行うものとして説明する。
【００１３】
小型航空機１１は、撮像装置である、例えばステレオカメラ（図１には図示せず）を搭載しながら、一つの施工現場Ｆの上空を予め規定されたルートで航行する。そして、小型航空機１１は、ステレオカメラを通じて施工現場Ｆの地形全体をくまなく撮影し、複数の画像データを生成する。各画像データには、施工現場Ｆの地形が部分的に撮影されている。
小型航空機１１は、取得した複数の画像データを、無線ＬＡＮ経由で地形情報送信装置１０に送信する。
【００１４】
建設機械１２は、例えば、油圧ショベル、ブルドーザーなどであって、施工現場Ｆ内で施工作業を行う複数の建設機械である。本実施形態においては、建設機械１２も撮像装置（図１には図示せず）を搭載し、例えば、運転者の操作に応じて地形を撮影する。
建設機械１２は、撮影によって取得した画像データを、無線ＬＡＮ経由で地形情報送信装置１０に送信する。
【００１５】
情報提供装置２は、各地形情報送信装置１０から、広域通信網Ｇを通じて三次元データを収集するサーバ装置であって、各三次元データを閲覧可能に加工し、インターネット等を介して利用者に提供する装置である。特に、本実施形態に係る情報提供装置２は、地形情報送信装置１０から受信した三次元データに基づいて、施工現場Ｆごとの施工作業の進捗を把握可能とする進捗情報を作成する。
【００１６】
出力装置３は、広域通信網Ｇを通じて、情報提供装置２から提供される情報（後述する進捗情報）を受信して、当該情報を利用者に知らせる。例えば、施工現場Ｆで施工作業を行う作業者Ｍ１は、自身が所持する出力装置３、例えばタブレット端末を通じてその場で進捗情報を取得することができる。また、施工現場Ｆから離れた遠隔地Ｄに位置する管理者Ｍ２（全体管理者等）も、自身が所持する出力装置３を通じて進捗情報を取得することができる。また、進捗情報を取得し、プリンター等で出力することもできる。
【００１７】
（地形情報送信装置等の機能構成）
図２は、第１の実施形態に係る地形情報送信装置等の機能構成を示す図である。
図２に示すように、地形情報送信装置１０は、ＣＰＵ１００と、メモリ１０１と、広域通信インタフェース１０２と、無線ＬＡＮインタフェース１０３と、記録媒体１０４と、を備えている。
【００１８】
ＣＰＵ１００は、地形情報送信装置１０の動作全体を司るプロセッサである。ＣＰＵ１００は、記録媒体１０４等に格納されたプログラムやデータをメモリ１０１上に読み出し、当該プログラムに規定される処理を実行することで、後述の各機能を実現する。
【００１９】
メモリ１０１は、ＣＰＵ１００のワークエリア等として用いられる揮発性のメモリ（ＲＡＭ）である。
【００２０】
広域通信インタフェース１０２は、地形情報送信装置１０が、広域通信網Ｇを通じて、情報提供装置２と情報を送受信するための接続インタフェースである。広域通信インタフェース１０２は、地形情報送信装置１０と広域通信網Ｇとを有線接続するものであってもよいし、無線接続するものであってもよい。
【００２１】
無線ＬＡＮインタフェース１０３は、施工現場Ｆ内に存在する他の各種装置（小型航空機１１、建設機械１２）と無線ＬＡＮで通信可能に接続する。
【００２２】
記録媒体１０４は、例えば、ＨＤＤ（Hard Disk Drive）、ＳＳＤ（Solid State Drive）等の大容量記録デバイスにより実現され、ＯＳ（Operation System）、アプリケーションプログラム、及び、各種データ等を記憶する。本実施形態においては、記録媒体１０４には、小型航空機１１等によって取得された複数の画像データが記録保存される。
【００２３】
ＣＰＵ１００は、上述のプログラムに基づいて動作することで、図２に示す画像データ受信部１００１、三次元データ作成部１００２、軽量化処理部１００３及び地形情報送信部１００４としての機能を発揮する。
【００２４】
画像データ受信部１００１は、ステレオカメラを搭載する移動体（小型航空機１１、建設機械１２）から、現場内通信網を通じて、施工現場Ｆの地形を写す複数の画像データを受信する。また、画像データ受信部１００１は、ステレオカメラで撮影を行った移動体から、当該撮影を行った際の位置・方位情報を受信する。
【００２５】
三次元データ作成部１００２は、画像データ受信部１００１によって取得された複数の画像データに基づいて、施工現場Ｆの地形の三次元データを作成する。具体的には、三次元データ作成部１００２は、小型航空機１１のステレオカメラ１１０によって取得された画像データ（ステレオ画像）に対しステレオマッチング処理を施し、施工現場Ｆ全体のうち当該画像データに含まれる部分の地形の三次元データ（部分地形三次元データ）を作成する。そして、三次元データ作成部１００２は、画像データごとに作成された複数の部分地形三次元データを、位置・方位情報に基づいて繋ぎ合わせて統合し、部分地形三次元データ領域よりも広い地形、例えば施工現場Ｆ全体の地形を表す「全体地形三次元データ」を作成する。
なお、三次元データの例としては、三次元座標上にプロットされる点群データ、ポリゴンデータ、およびボクセルデータなどが挙げられる。
【００２６】
軽量化処理部１００３は、三次元データ作成部１００２によって作成された全体地形三次元データの総データ量を軽減する軽量化処理を行う。「軽量化処理」の具体的な例としては、特定間隔で仕切られた小領域（メッシュ）ごとに点群の代表値（平均値、最頻値、中央値）を算出し、点群を間引く手法などがある。また、画像データのノイズ等の影響により発生する特異点（隣り合う点群の座標と比較して大きく異なる座標を示すもの）を除去する不要物除去処理も「軽量化処理」の例に含んでもよい。
【００２７】
地形情報送信部１００４は、軽量化処理部１００３によって軽量化処理が施された三次元データである「軽量化三次元データ」を、広域通信網Ｇを通じて情報提供装置２に送信する。
【００２８】
また、図２に示すように、小型航空機１１は、ステレオカメラ１１０と、無線ＬＡＮインタフェース１１１とを備えている。小型航空機１１は、予め組み込まれたプログラムに従って自動的に、施工現場Ｆの上空を航行しながらステレオカメラ１１０を用いて地形の撮影を行う。小型航空機１１は、撮影により取得した画像データを、無線ＬＡＮインタフェース１１１を通じて地形情報送信装置１０に送信する。
【００２９】
また、建設機械１２は、ステレオカメラ１２０と、無線ＬＡＮインタフェース１２１とを備えている。建設機械１２は、運転者の操作（専用ボタンの押下、等）に応じて、ステレオカメラ１２０による地形の撮影を行う。建設機械１２は、撮影により取得した画像データを、無線ＬＡＮインタフェース１２１を通じて地形情報送信装置１０に送信する。
【００３０】
（情報提供装置の機能構成）
図３は、第１の実施形態に係る情報提供装置の機能構成を示す図である。
図３に示すように、情報提供装置２は、ＣＰＵ２００と、メモリ２０１と、広域通信インタフェース２０２と、記録媒体２０３とを備えている。
【００３１】
ＣＰＵ２００は、情報提供装置２の動作全体を司るプロセッサである。ＣＰＵ２００は、記録媒体２０３等に格納されたプログラムやデータをメモリ２０１上に読み出し、当該プログラムに規定される処理を実行することで、後述の各機能を実現する。
【００３２】
メモリ２０１は、ＣＰＵ２００のワークエリア等として用いられる揮発性のメモリ（ＲＡＭ）である。
【００３３】
広域通信インタフェース２０２は、情報提供装置２が、広域通信網Ｇを通じて、複数の地形情報送信装置１０から軽量化三次元データを受信するための接続インタフェースである。広域通信インタフェース２０２は、情報提供装置２と広域通信網Ｇとを有線接続するものであってもよいし、無線接続するものであってもよい。
【００３４】
記録媒体２０３は、例えば、ＨＤＤ、ＳＳＤ等の大容量記録デバイスにより実現され、ＯＳ、アプリケーションプログラム、及び、各種データ等を記憶する。本実施形態においては、記録媒体２０３には、地形情報送信装置１０から受信した軽量化三次元データなどが記録保存される。
【００３５】
ＣＰＵ２００は、上述のプログラムに基づいて動作することで、図３に示す地形情報受信部２００１、進捗情報作成部２００２及び進捗情報送信部２００３としての機能を発揮する。
【００３６】
地形情報受信部２００１は、広域通信網Ｇを通じて、複数の地形情報送信装置１０の各々から、当該地形情報送信装置１０が設置された施工現場Ｆの全体地形を示す軽量化三次元データを受信する。
進捗情報作成部２００２は、地形情報送信装置１０から受信した複数の軽量化三次元データに基づいて施工現場Ｆにおける施工の進捗を示す進捗情報を作成する。
進捗情報送信部２００３は、進捗情報作成部２００２が作成した進捗情報を、広域通信網Ｇを通じて利用者の出力装置３に送信する。
【００３７】
（地形情報送信装置の処理フロー）
図４は、第１の実施形態に係る地形情報送信装置の処理フローを示す図である。
図４に示す処理フローは、定期的（例えば、１日毎）に実施され、小型航空機１１による施工現場Ｆ全体の地形の撮影処理が完了した後に開始される。
【００３８】
地形情報送信装置１０の画像データ受信部１００１（ＣＰＵ１００）は、小型航空機１１から現場内通信網Ｌ（無線ＬＡＮ）経由で、複数の画像データ（及び、位置・方位情報）を受信する（ステップＳ００）。また、画像データ受信部１００１は、建設機械１２で撮影が行われた場合には、当該建設機械１２から現場内通信網Ｌ経由で、当該撮影によって取得された画像データ（及び、位置・方位情報）を受信する。
次に、三次元データ作成部１００２（ＣＰＵ１００）は、ステップＳ００で取得された複数の画像データと、各画像データに関連付けられた位置・方位情報とに基づいて、施工現場Ｆの地形の三次元データ（全体地形三次元データ）を作成する（ステップＳ０１）。
次に、軽量化処理部１００３（ＣＰＵ１００）は、ステップＳ０１で作成された全体地形三次元データに対し、そのデータ量を軽減する軽減処理を施す（ステップＳ０２）。具体的には、上述したように、軽量化処理部１００３は、全体地形三次元データに対し、点群の間引き処理、及び、不要物除去処理を行う。
次に、地形情報送信部１００４（ＣＰＵ１００）は、広域通信網Ｇを介して、ステップＳ０２で作成された軽量化三次元データを情報提供装置２に送信する（ステップＳ０３）。この際、地形情報送信部１００４は、軽量化三次元データに対し、施工現場Ｆを識別するための識別情報、及び、三次元データの基となった画像データの取得日時（撮影日時）を示す日時情報（タイムスタンプ）を付して情報提供装置２に送信する。
【００３９】
（情報提供装置の処理フロー）
図５は、第１の実施形態に係る情報提供装置の処理フローを示す図である。
また、図６は、第１の実施形態に係る情報提供装置の機能を説明するための図である。
図５に示す処理フローは、情報提供装置２のＣＰＵ２００によって定期的に繰り返し実行される。
【００４０】
情報提供装置２の地形情報受信部２００１（ＣＰＵ２００）は、広域通信網Ｇを通じて、複数の地形情報送信装置１０の各々から軽量化三次元データ等を受信する（ステップＳ１０）。この軽量化三次元データは、地形情報送信装置１０がそれぞれ設置された施工現場Ｆの地形全体を示す三次元データ（全体地形三次元データ）であって、かつ、地形情報送信装置１０によって軽量化処理がなされたものである。
【００４１】
進捗情報作成部２００２（ＣＰＵ２００）は、ステップＳ１０で受信した軽量化三次元データに基づいて、進捗情報を作成する（ステップＳ１１）。ここで、進捗情報の例について、図６を参照しながら説明する。
【００４２】
図６に示すように、進捗情報作成部２００２は、施工現場Ｆ（Ｆ−１、Ｆ−２、・・）ごとに取得した軽量化三次元データを、日時情報に基づいて時系列で一覧表示する。同じ画面上に複数の施工現場Ｆの軽量化三次元データを表示させてもよい。このようにすることで、利用者は、管理の目的とする施工現場Ｆの地形の変化をきめ細やかに（例えば、１日単位の周期で）把握することができる。また、進捗情報作成部２００２は、複数の施工現場Ｆ（Ｆ−１、Ｆ−２、・・）ごとに、同じ時系列で比較可能なように進捗情報を作成する。これにより、利用者は、ある施工現場Ｆの進捗が、他の施工現場Ｆと連携して進められているか否かも把握することができる。
進捗情報作成部２００２は、図６に示すような進捗情報をｗｅｂページ等で閲覧可能な形式（ＨＴＭＬ形式等）で作成する。進捗情報作成部２００２は、図６に示すような進捗情報を印刷物として出力可能な形式で作成する。
【００４３】
進捗情報送信部２００３（ＣＰＵ２００）は、利用者（作業者Ｍ１、管理者Ｍ２）が保持する出力装置３からの閲覧リクエストに応じて、ステップＳ１１で作成された進捗情報を、各出力装置３へ送信する（ステップＳ１２）。これにより、利用者は、各出力装置３の表示パネルを通じて、いつでも進捗情報を確認することができる。
【００４４】
（作用・効果）
以上の通り、第１の実施形態に係る施工管理システム１によれば、地形情報送信装置１０は、ステレオカメラを搭載する移動体（小型航空機１１、建設機械１２）から、現場内通信網Ｌ（無線ＬＡＮ）を通じて、施工現場Ｆの地形を写す複数の画像データを受信する。
また、地形情報送信装置１０は、複数の画像データに基づいて施工現場Ｆの三次元データ（全体地形三次元データ）を作成し、更に、作成された三次元データの総データ量を軽減する軽量化処理を行う。
そして、地形情報送信装置１０は、上記軽量化処理が施された全体地形三次元データである軽量化三次元データを、広域通信網Ｇを通じてサーバ装置（情報提供装置２）に送信する。
【００４５】
以上のような構成とすれば、広域通信網Ｇを通じて伝送される情報は、画像データよりも総データ量（情報量）が小さい三次元データとなる。また、この三次元データも、軽量化処理を経て、一層、総データ量が軽減される。したがって、広域通信網Ｇを通じた地形情報のデータ伝送に要する通信負荷を減らすことができる。加えて、サーバ装置（情報提供装置２）は、三次元データを作成する必要がなくなるため、サーバ装置自身の負荷も軽減することができる。これにより、施工現場Ｆの全体地形三次元データを、比較的短い時間間隔（例えば、１日単位）で更新することができるようになり、それ故、作業進捗を詳細に把握することができるようになる。
【００４６】
また、地形情報送信装置１０は、軽量化三次元データに加え、当該軽量化三次元データの基となった画像データの取得日時を示す日時情報をサーバ装置（情報提供装置２）に送信する。
このようにすることで、サーバ装置は、所定の時間間隔で作成した三次元データを時系列で並べてなる進捗情報を作成することができる。
【００４７】
＜変形例＞
以上、第１の実施形態に係る施工管理システム１について詳細に説明したが、施工管理システム１の具体的な態様は、上述のものに限定されることはなく、要旨を逸脱しない範囲内において種々の設計変更等を加えることは可能である。
【００４８】
第１の実施形態に係る情報提供装置２は、図６に示すような、施工現場Ｆごとの軽量化三次元データを時系列で並べてなる進捗情報を作成するものとして説明したが、他の実施形態においてはこの態様に限定されない。
他の実施形態に係る情報提供装置２は、更に、ある時点で取得された軽量化三次元データと、別の時点で取得された軽量化三次元データとの差分を特定し、その差分を可視化してなる「差分三次元データ」を作成してもよい。このようにすることで、例えば、日ごとに、施工現場Ｆの地形がどのように変化したかを、直感的に把握することができる。
【００４９】
また、第１の実施形態に係る施工管理システム１では、画像データは、小型航空機１１及び建設機械１２に搭載されたステレオカメラによって取得されるものとして説明したが、他の実施形態においてはこの態様に限定されない。
例えば、他の実施形態に係る施工管理システム１では、画像データは、専ら、小型航空機１１のみ、又は、建設機械１２のみによって取得される態様であってもよい。また、他の実施形態に係る施工管理システム１では、画像データは、小型航空機１１、建設機械１２とは別の移動体（一般車両、歩行者等）が具備するステレオカメラで撮影されたものでもよいし、固定設置されたステレオカメラで撮影されたものでもよい。即ち、画像データは、施工現場Ｆの地形を撮影可能な撮像装置によって撮影されたものであれば、如何なる態様で撮影されたものであってもよい。
【００５０】
また、第１の実施形態に係る施工管理システム１は、例として、１日毎に施工現場Ｆ全体の地形を撮影し、その三次元データ（軽量化三次元データ）を情報提供装置２に送信するものとして説明したが、他の実施形態においてはこの態様に限定されない。
他の実施形態に係る施工管理システム１は、１日よりも短い単位（例えば、午前及び午後１回ずつ）とか、１時間毎に、施工現場Ｆ全体の地形を撮影し、その三次元データを情報提供装置２に送信する態様としてもよい。
【００５１】
また、第１の実施形態においては、広域通信網Ｇはインターネット通信回線であり、現場内通信網Ｌは無線ＬＡＮであるものとして説明したが、他の実施形態においてはこの態様に限定されない。広域通信網Ｇは、例えば、複数の施工現場Ｆに渡って構築された専用の通信回線であってもよい。また、現場内通信網Ｌは、施工現場Ｆ内に存在する機器、装置どうしで通信可能な態様であれば、如何なる態様であってもよい。
【００５２】
また、上述の各実施形態においては、上述した地形情報送信装置１０及び情報提供装置２の各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５３】
上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００５４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれる。
【産業上の利用可能性】
【００５５】
上記施工管理システムによれば、施工現場全体の三次元データの更新頻度を向上することができる。
【符号の説明】
【００５６】
１  施工管理システム
１０  地形情報送信装置
１００  ＣＰＵ
１００１  画像データ受信部
１００２  三次元データ作成部
１００３  軽量化処理部
１００４  地形情報送信部
１０１  メモリ
１０２  広域通信インタフェース
１０３  無線ＬＡＮインタフェース
１０４  記録媒体
１１  小型航空機
１１０  ステレオカメラ
１１１  無線ＬＡＮインタフェース
１２  建設機械
１２０  ステレオカメラ
１２１  無線ＬＡＮインタフェース
２  情報提供装置
２００  ＣＰＵ
２００１  地形情報受信部
２００２  進捗情報作成部
２００３  進捗情報送信部
２０１  メモリ
２０２  広域通信インタフェース
２０３  記録媒体
３  出力装置
【図１】
2019012988.tif 000003
【図２】
2019012988.tif 000004
【図３】
2019012988.tif 000005
【図４】
2019012988.tif 000006
【図５】
2019012988.tif 000007
【図６】
2019012988.tif 000008
【国際調査報告】
2019012988.tif 000009
2019012988.tif 000010
2019012988.tif 000011
2019012988.tif 000012